(57)【要約】      （修正有）【課題】自動販売機を２台以上並べた時に自動販売機に付属するヒンジがあるために発生する隙間を埋めて見苦しさを解消する。【解決手段】自動販売機１に付属するヒンジ２のサイズ、形に合わせた上部スペーサー３、下部スペーサーをはめ込みそれぞれマグネットで自動販売機に固定し見苦しさを解消し自動販売機の売上上昇に役立つ。【選択図】図１
0003129230.tif 000002
【実用新案登録請求の範囲】
【請求項１】
自動販売機を２台以上並べて設置した時に、自動販売機のヒンジ部分がある為出来る隙間を、ヒンジサイズに合わせた部品をマグネットで自動販売機に取り付け、自動販売機間の隙間の見苦しさを、簡易な方法で解消する事を特徴とする部品
【考案の詳細な説明】
【技術分野】
【０００１】  本考案は、自動販売期間に発生する隙間の見苦しさを隙間サイズの部品に、マグネットを取り付け、簡易に解消する部品に関するものである。
【背景技術】
【０００２】  自動販売機を２台以上設置した時に自動販売機のヒンジによる隙間が発生し見苦しい状態であっても放置していた。
【考案の開示】
【考案が解決しようとする課題】
【０００３】  ２台以上自動販売機を設置した際の自動販売機のヒンジにより発生する隙間を埋めるには自動販売機のヒンジのサイズがばらばらで特別注文での手作り対応しか方法がなく経済的負担が大きくほとんど放置されており見苦しいままの状態であった。従って簡易な取り付けで安価な部品を使用することで前述の問題点を解決しようとするものである。
【問題を解決するための手段】
【０００４】  本考案は発泡ボードにマグネットを取り付け、自動販売機に取り付けを簡易にし、且つ発泡ボードを切断することで、サイズ変更を可能にしたことにより問題点を解決している。
【考案の効果】
【０００５】  本考案のヒンジスペーサーを自動販売期間に取り付ける事により、見苦しさがなくなり、自動販売機での購入者に対し好印象を与え、売上の上昇が期待できる。
【考案を実施するための最良の形態】
【０００６】  自動販売機を２台以上並べた時に、自動販売機間のヒンジによる隙間に本考案自動販売機用ヒンジスペーサーを上部用、下部用をそれぞれはめ込み、付属のマグネットで固定する。
【実施例】
【０００７】  以下、添付図面に従って一実施例を説明する。１は本考案の対象である自動販売機本体、２は自動販売機のヒンジである。３はヒンジスペーサー上部用、３ａは同取付用マグネット、４はヒンジスペーサー下部用、４ａは同取付用マグネットである。１の自動販売機本体に付属する２のヒンジによる隙間に３ａ、４ａそれぞれのマグネットで１の自動販売機の側面に固定する。
【図面の簡単な説明】
【０００８】
【図１】本考案の自動販売機用ヒンジスペーサーの実施例
【図２】本考案スペーサーの詳細図
【符号の説明】
【０００９】１    自動販売機本体
２    自動販売機付属ヒンジ
３    自動販売機用ヒンジスペーサー上部用
４    自動販売機用ヒンジスペーサー下部用
【図１】
0003129230.tif 000003
【図２】
0003129230.tif 000004
【手続補正書】
【提出日】平成18年10月27日(2006.10.27)
【手続補正１】
【補正対象書類名】実用新案登録請求の範囲
【補正対象項目名】請求項１
【補正方法】変更
【補正の内容】
【請求項１】
自動販売機を２台以上並べて設置した時に自動販売機にヒンジ部分がある為前方に現れる隙間をふさぐ発泡剤からなパネル（発泡ボード）で、尚且つ取り付け部にマグネットを採用することにより移動を可能にしたことを特徴とする自動販売機用ヒンジスペーサー。
【手続補正２】
【補正対象書類名】明細書
【補正対象項目名】全文
【補正方法】変更
【補正の内容】
【考案の詳細な説明】
【技術分野】
【０００１】  本考案は、自動販売期間に発生する隙間を隙間サイズの部品に、マグネットを取り付け、隙間を塞ぐための部品（カバーパネル）に関するものである。
【背景技術】
【０００２】  自動販売機を２台以上設置した時に自動販売機の扉に付いているヒンジのため、必然的に隙間が発生する。そのため前面から見たとき美観を損ねたり、当該隙間に空き缶や空壜、ゴミなどを入れられる問題がある。
【考案の開示】
【考案が解決しようとする課題】
【０００３】  自動販売機間の隙間を塞ぐパネルには、その隙間に突き出ているヒンジ（片方の自動販売機の上側ヒンジと下側ヒンジ）に触れないように切り取り部を作る必要がある。また自動販売機の高さやヒンジの位置は、自動販売機により違いがあるため、パネルの寸法調整や切り取り部を作るための加工作業は自動販売機の据付場所において鋸などを使用して行うことになる。しかしながら、自動販売機の据付場所でそのような加工作業を行うことは非常に煩雑である。また自動販売期間の隙間を塞ぐパネルは、通常、接着剤や両面テープなどで当該自動販売機のそくめんに固定して付けられるが、その作業もやはり煩雑である。さらに固定して付けたパネルは、自動販売機の扉の開閉を阻害させないため、自動販売機の前面からかなり後退させて付けなければならず、損なわれた美観を十分には回復することができない。
本考案は以上のような事情に基づいてなされたものである。
本考案の目的は、寸法調整や切り取り部をつくるための加工作業を簡単に行うことのできる自動販売機間の隙間を塞ぐためのパネルを提供することにある。
本考案の他の目的は、取り付けおよび取り外しを簡単に行うことのできる自動販売機間の隙間を塞ぐためのパネルを提供することにある。
本考案の更に他の目的は、パネルの移動が簡単にでき、自動販売機の前面と面一に取り付けることができ、隙間によって損なわれた美観を十分に回復することのできる自動販売機間の隙間を塞ぐパネルを提供することにある。
【問題を解決するための手段】
【０００４】  本考案の自動販売期間の隙間を塞ぐためのパネルは、隣接配置された自動販売機間に生じる隙間を塞ぐためのパネルで前期隙間を実質的に塞ぐことのできる幅を有し、一方の自動販売機の上側ヒンジの形状に沿って、その上端に切り取り部が形成されている上側発泡ボードと、この上側発泡ボードの裏面に取り付けられ、隣接配置された自動販売機の何れかの側面に当該上側発泡ボードを装着するためのマグネットと、前期隙間を実質的に塞ぐことのできる幅を有し、一方の自動販売機の下側ヒンジの形状に沿って、その下端に切り取り部が形成されている下側発泡ボードと、この下側発泡ボードの裏面に取り付けられ、隣接配置された自動販売機の何れかの側面に当該下側発泡ボードを装着するためのマグネットとを備えてなることを特徴とする。
本考案の自動販売期間の隙間を塞ぐためのパネルは、一方の自動販売機における上側ヒンジの位置に上側発泡ボードの上端の切り取り部を合わせ、下側ヒンジの位置に下側発泡ボードの下端の切り取り部を合わせるとともに、上側発泡ボードの下端と、下側発泡ボードの上端とを接続させた状態でそれぞれのマグネットにより、一方および、または他方の自動販売機の側面に位置固定することにより、自動販売期間の隙間を塞ぐことができる。
このとき、上側発泡ボードと下側発泡ボードからなるパネルが長すぎる場合（切り取り部の離間距離がヒンジの離間距離より長い場合）には、上側発泡ボードの下部および、または下部発泡ボードの上部を切削することにより、パネルの寸法を調整することができる。
【考案の効果】
【０００５】  （１）本考案の隙間を塞ぐためのパネル（自動販売機用ヒンジスペーサー）は、発泡ボードにより構成されているので、寸法調整や切り取り部をつくるための切り取り加工を簡単に行うことができる。
（２）本考案の隙間を塞ぐためのパネルは、上下に分割された発泡ボードにより構成されるととともに、それぞれの発泡ボードがマグネットを利用して取り付けされるので、取り付け操作および取り外し操作を簡単に行うことができる。
（３）本考案の隙間を塞ぐためのパネルは、マグネットを利用して取り付けされるので、移動（取り付け位置の変更）が簡単である。自動販売機の扉を開いたときにパネルの位置がずれたとしても、この扉を閉める際に容易に元の位置に戻すことができる。この結果、自動販売機の前面と面一に取り付けたとしても、自動販売機の扉の開閉を阻害することはない。従って隙間によって損なわれた美観を十分に回復することができる。
【考案を実施するための最良の形態】
【０００６】  自動販売機を２台以上並べた時に、自動販売機間のヒンジによる隙間に本考案自動販売機用ヒンジスペーサーを上部用、下部用をそれぞれサイズに合わせてカットしてはめ込み、自動販売機扉面の側面に合わせ付属のマグネットで取り付ける。
【実施例】
【０００７】  以下、本考案の隙間を塞ぐためのパネル（自動販売機用ヒンジスペーサー）について図面を用いて説明する。
図１は、本考案の隙間を塞ぐためのパネル（自動販売機用ヒンジスペーサー）の一例を示す斜視図である。同図に示すパネルは、隣接配置された自動販売期間に生じる隙間を塞ぐためのパネルであって、上側発泡ボード１０と、下側発泡ボード２０とにより構成される。
上側発泡ボード１０は、前記隙間を実質的に塞ぐことのできる幅を有し、隣接配置された自動販売機のうちの一方の自動販売機が有する上側ヒンジの形状に沿って、その上端に切り取り部１１が形成されている。
上側発泡ボード１０の裏面１２（パネルを取り付けた後に自動販売機の前面から見えない面）には、マグネット１３．１３を収容してなるマグネットボックス１４．１４が固定されており、このマグネット１３．１３により、隣接配置された自動販売機のうちの前記隙間に突出する上側ヒンジを有する自動販売機の側面に、上側発泡ボード１０を取り付けることができる。なおマグネットボックス１４．１４は他方の自動販売機の側面に取り付けできるよう固定されていてもよい。
下側発泡ボード２０は、前記隙間を実質的に塞ぐことのできる幅を有し、隣接配置された自動販売機のうちの一方の自動販売機が有する下側ヒンジの形状に沿って、その上端に切り取り部２１が形成されている。
下側発泡ボード２０の裏面には、マグネット２３．２３を収容してなるマグネットボックス２４．２４が固定されており、このマグネット２３．２３により、隣接配置された自動販売機のうち一方の自動販売機の側面に、下側発泡ボード２０を取り付けることができる。なお、マグネットボックス２４．２４は、他方の自動販売機の側面に取り付けできるよう固定されてもよい。
図２は、図１に示した隙間を塞ぐためのパネルを構成する上側発泡ボード１０および下側発泡ボード２０の寸法の一例を示す正面図、および側面図である。
図３は図１に示した隙間を塞ぐパネル（自動販売機用ヒンジスペーサー）の使用例を示す説明図である。
図１に示した隙間を塞ぐためのパネルによれば、一方の自動販売機１における上側ヒンジ２の位置に上側発泡ボード１０の切り取り部１１を合わせ、下側ヒンジ３の位置に下側発泡ボード２０の切り取り部２１を合わせるとともに、上側発泡ボード１０の下端と、下側発泡ボード２０の上端とを当接させた状態で、それぞれのマグネットにより、一方の自動販売機１および、または他方の自動販売機１ａの側面に位置固定することにより、自動販売機間の隙間を塞ぐことができる。
このとき、上側発泡ボード１０と下側発泡ボード２０とからなるパネルが長すぎる場合、すなわち切り取り部１１と切り取り部２１との離間距離が上側ヒンジ２と下側ヒンジ３との離間距離よりも長い場合には、上側発泡ボード１０の下部および、または下側発泡ボード２０の上部を切り取ることにより、パネルの寸法を調整することができる。
図１に示した隙間を塞ぐためのパネル（自動販売機用ヒンジスペーサー）は、発泡ボード（発泡樹脂）により構成されているので、寸法調整や切り取り部形成のための切り取り加工を簡単に行うことができる。
また、上下に分割された発泡ボード（上側発泡ボード１０および下側発泡ボード２０）により構成されるとともに、それぞれの発泡ボードが、マグネットを利用して取り付けられるので、取り付け操作、取り外し操作を簡単に行うことができる。
さらに、自動販売機間の扉を開いたときに取り付け位置がずれたとしても、この扉を閉じる際に、容易にもとの位置に戻すことができる。この結果、自動販売機の前面から後退させることなく、前面と面一に取り付けたとしても、自動販売機間の扉の開閉を阻害することはない。従って、隙間によって損なわれた美観を十分回復できる。
【図面の簡単な説明】
【０００８】
【図１】本考案の自動販売機用ヒンジスペーサーの一例を示す斜視図である。
【図２】図１に示した自動販売機用ヒンジスペーサーを構成する上側発泡ボードおよび下側発泡ボードの寸法の一例を示す正面図および側面図である。
【図３】図１に示した自動販売機用ヒンジスペーサーの使用態様を示す説明図である。
【符号の説明】
【０００９】１０    上側発泡ボード
１１    切り取り部
１２    裏面
１３    マグネット
１４    マグネットボックス
２０    下側発泡ボード
２１    切り取り部
２２    裏面
２３    マグネット
２４    マグネットボックス
【手続補正３】
【補正対象書類名】図面
【補正対象項目名】全図
【補正方法】変更
【補正の内容】
【図１】
0003129230.tif 000005
【図２】
0003129230.tif 000006
【図３】
0003129230.tif 000007